(57)【要約】【課題】  ノズル付き押下げヘッドに対するノズルカバーの着脱に力を要することなく、またノズルカバーを紛失するおそれがないノズルカバーの取付け構造を提供する。【解決手段】ノズルカバー５０は周壁５２下端が縮径部２４より外方の容器１部分上面へ当接してノズル付き押下げヘッド４０の押下げを不能にするロック位置と、周壁５２の引き上げで、ノズルカバー筒部５７がノズル４３から、また係合突部５８が嵌合溝４４から、それぞれ上方へ離脱すると共に、周壁５２の引き上げ状態での回動で係合突部５８下端がノズル付き押下げヘッド頂壁４１上面へ係合することで、ノズルカバー５０押下げによりノズル付き押下げヘッド４０の押下げを可能にするアンロック位置とを取る。【選択図】  図１
2010052822.tif 000002
【特許請求の範囲】
【請求項１】
容器１上部を縮径させて形成した縮径筒部２４内から上方付勢されて起立するステム３０へ嵌合筒４２を介して装着されたノズル付き押下げヘッド４０のノズルカバー取付け構造であって、
前記嵌合筒４２外面に嵌合溝４４を縦設し、
前記ノズルカバー５０は、前記ノズル付き押下げヘッド上面４１より上方に位置する天板５１から前記縮径部２４外面へ下部を上下動自在かつ抜出し不能に嵌合させて垂下する周壁５２にノズル挿通用の開口部５３を形成して、該開口部５３より上方の周壁５２部分からノズル４３を上方から覆う下面開口のノズルカバー筒部５７を突設すると共に、周壁５２の上部内面から係合突部５８を突設し、
前記開口部５３を介してノズル４３を周壁５２外方へ突出させ、かつ前記係合突部５８を嵌合溝４４へ上下動自在に嵌合させたことを特徴とするノズルカバーの取付け構造。
【請求項２】
前記ノズルカバー５０は周壁５２下端が前記縮径部２４より外方の容器１部分上面へ当接して前記ノズル付き押下げヘッド４０の押下げを不能にするロック位置と、
前記周壁５２の引き上げで、前記ノズルカバー筒部５７がノズル４３から、また前記係合突部５８が前記嵌合溝４４から、それぞれ上方へ離脱すると共に、周壁５２の引き上げ状態での回動で前記係合突部５８下端が前記ノズル付き押下げヘッド頂壁４１上面へ係合することで、ノズルカバー５０押下げにより前記ノズル付き押下げヘッド４０の押下げを可能にするアンロック位置とを取ることを特徴とする請求項１記載のノズルカバーの取付け構造。
【請求項３】
前記係合突部５８は前記周壁５２内面に縦設された少なくとも１つのリブから形成されていることを特徴とする請求項１又は２記載のノズルカバーの取付け構造。
【請求項４】
前記ノズルカバー周壁５２の下端内面と前記縮径筒部２４の上端外面とのそれぞれに設けた係合手段２５、５９によってノズルカバー５０を縮径筒部２４から抜出し不能に形成したことを特徴とする請求項１、２又は３記載のノズルカバーの取付け構造。
【請求項５】
前記開口部５３は周方向への第１長孔部と、該第１長孔部の一端から周壁５２下端に達する下方向への第２長孔部と、第１長孔部の他端から上方向へ延びる第３長孔部とからなり、該第３長孔部は前記係合突部５８とほぼ同一長さに形成されていることを特徴とする請求項１ないし４のいずれか１つに記載のノズルカバーの取付け構造。
【発明の詳細な説明】
【技術分野】
【０００１】
本発明は、容器に収納された液体等の内容物をノズルから吐出させるためのノズル付き押下げヘッドへ嵌合させるノズルカバーの取付け構造に関する。
【背景技術】
【０００２】
ノズルカバーは、ノズル先端を保護すると共に、不使用時におけるノズル付き押下げヘッドの不用意な押下げを防止するためのもので、このようなノズルカバーとして、ノズルヘッドのヘッド基体を覆うカバー基体と、ノズルヘッドの吐出ノズルの吐出口を開閉する蓋板を具えたノズル蓋部とからなるものが知られている(特許文献１)。
【特許文献１】特開２００８−１１４８６２号公報
【発明の開示】
【発明が解決しようとする課題】
【０００３】
しかしながら特許文献１記載の発明では、ノズルカバーがノズルヘッドから簡単に抜け出ることがないようにカバー基体をヘッド基体に多少固く嵌合させているため、ヘッド基体に対するカバー基体の着脱に多少の力を要することになり、したがってノズルカバーの着脱が軽い操作で行えないため使いにくいばかりか、使用時にはノズルヘッドからノズルカバーを離脱させるため紛失するおそれがあった。
【０００４】
本発明の目的は、ノズル付き押下げヘッドに対するノズルカバーの着脱に力を要することなく、またノズルカバーを紛失するおそれがないノズルカバーの取付け構造を提供することにある。
【課題を解決するための手段】
【０００５】
本発明は、容器１上部を縮径させて形成した縮径筒部２４内から上方付勢されて起立するステム３０へ嵌合筒４２を介して装着されたノズル付き押下げヘッド４０のノズルカバー取付け構造であって、
前記嵌合筒４２外面に嵌合溝４４を縦設し、
前記ノズルカバー５０は、前記ノズル付き押下げヘッド上面４１より上方に位置する天板５１から前記縮径部２４外面へ下部を上下動自在かつ抜出し不能に嵌合させて垂下する周壁５２にノズル挿通用の開口部５３を形成して、該開口部５３より上方の周壁５２部分からノズル４３を上方から覆う下面開口のノズルカバー筒部５７を突設すると共に、周壁５２の上部内面から係合突部５８を突設し、
前記開口部５３を介してノズル４３を周壁５２外方へ突出させ、かつ前記係合突部５８を嵌合溝４４へ上下動自在に嵌合させたことを特徴とする。
【０００６】
また、本発明は、前記ノズルカバー５０は周壁５２下端が前記縮径部２４より外方の容器１部分上面へ当接して前記ノズル付き押下げヘッド４０の押下げを不能にするロック位置と、
前記周壁５２の引き上げで、前記ノズルカバー筒部５７がノズル４３から、また前記係合突部５８が前記嵌合溝４４から、それぞれ上方へ離脱すると共に、周壁５２の引き上げ状態での回動で前記係合突部５８下端が前記ノズル付き押下げヘッド頂壁４１上面へ係合することで、ノズルカバー５０押下げにより前記ノズル付き押下げヘッド４０の押下げを可能にするアンロック位置とを取ることを特徴とする。
【０００７】
さらに、本発明は、前記係合突部５８は前記周壁５２内面に縦設された少なくとも１つのリブから形成されていることを特徴とする。
【０００８】
さらに、本発明は、前記ノズルカバー周壁５２の下端内面と前記縮径筒部２４の上端外面とのそれぞれに設けた係合手段２５、５９によってノズルカバー５０を縮径筒部２４から抜出し不能に形成したことを特徴とする。
【０００９】
さらに、本発明は、前記開口部５３は周方向への第１長孔部と、該第１長孔部の一端から周壁５２下端に達する下方向への第２長孔部と、第１長孔部の他端から上方向へ延びる第３長孔部とからなり、該第３長孔部は前記係合突部５８とほぼ同一長さに形成されていることを特徴とする。
【発明の効果】
【００１０】
本発明は、ノズルカバー周壁を容器上部の縮径筒部外面へ抜出し不能に嵌合させているので、ノズルカバーが容器から離脱することがなく、したがって、ノズルカバーが容器から離脱することを防止するためにノズルカバーをノズル付き押下げヘッドへ固く嵌合させる必要がなく、このためノズルカバーの移動が軽い操作で行える。
【００１１】
また、ノズルカバー周壁が縮径筒部外面へ抜出し不能に嵌合され、吐出に際してもノズルカバーを装着したまま押下げることでノズル付き押下げヘッドを押下げ可能であるから、ノズルカバーを紛失するおそれがない。
【発明を実施するための最良の形態】
【００１２】
以下、本発明を、図面に示す実施の形態を参照しながら説明する。
図１において、１は容器で、容器体１０と装着筒２０とから構成されている。以下、これらについて順次説明する。なお、説明の便宜上、図面において左方向を前方とする。
【００１３】
容器体１０は、胴部１１上端から肩部１２を介して口頸部１３を起立する。
【００１４】
装着筒２０は、口頸部１３外面へ筒部２１を螺合させるとともに、筒部２１上端に付設した内向きフランジ２２をシリンダ３６上端の外向きフランジ３５を介して口頸部１３上面へ載置させ、また、内向きフランジ２２内周から上向き段部２３を介して案内筒２４を起立している。
【００１５】
案内筒２４の上端外面には抜け止め用の第１係合突条２５が周設されている。この案内筒２４は容器１上部の縮径筒部を構成する。さらに、筒部２１上端には外向きフランジ２６を介して外筒２７が垂下している。
【００１６】
３０はステムで、口頸部１３上端へ係合させた外向きフランジ３５から胴部１１内へ垂下するシリンダ３６内へ嵌合させたピストン(図示せず)から上方付勢されて装着筒２０よりも上方へ起立する。
【００１７】
４０はノズル付き押下げヘッドで、頂壁４１からステム３０上端部外面へ嵌合させて嵌合筒４２を垂下するとともに、嵌合筒４２上端からノズル４３を前方へ突設する。さらに、嵌合筒４２の外面に一対の上下方向への嵌合溝４４を軸対称に縦設している。
【００１８】
５０はノズルカバーで、ノズル付き押下げヘッド４０の頂壁４１上面よりもやや上方に位置する天板５１周縁から周壁５２を垂設している。周壁５２の上部は嵌合筒４２外面へ遊嵌され、また、周壁５２下部は案内筒２４外面へ上下動自在かつ抜出し不能に嵌合されている。周壁５２前部にはノズル４３を周壁５２外部へ突出させるための開口部５３が形成されている。
【００１９】
ノズルカバー５０は、後述するように、吐出時には引き上げられ、かつ引き上げ状態で開口部５３の第１長孔部沿いへ回動され、次いで押下げられるため、開口部５３は、このようなノズルカバー５０の一連の動作(引き上げ、回動、押下げ)がノズル４３によって妨げられないような形状に形成されている。
【００２０】
具体的な開口部５３の形状としては、展開形状が単なる矩形状でもよいが、本実施形態では周壁５２上部に形成された周方向へ延びる第１長孔部と、第１長孔部の一端から周壁５２下端へ達する軸線方向への下端開口の第２長孔部と、第１長孔部の他端から上方向へ延びる第３長孔部とから形成し、第３長孔部は係合突部５８とほぼ同一長さに形成する。このように形成することにより、ノズルカバー５０を引き上げると、後述するようにノズル４３は第３長孔部内を相対的に下方へ移動するとともに、係合突部５８は上昇してその下端がノズル付き押下げヘッド４０の頂壁４１上面へ乗り上げる。
【００２１】
開口部５３を第１ないし第３の長孔部で形成する場合には、ロック状態において、ノズル４３は第３長孔部の上端から周壁５２外方へ突出している。なお、ノズルカバー筒部５７は第３長孔部上端よりも上方の周壁５２部分から前方へ突設する。ノズルカバー筒部５７はノズル４３先端を保護するためのもので、ノズル４３を上方から覆うことが可能なように上方へ凸の弯曲状に形成されている。
【００２２】
周壁５２の上部内面には軸対称に配置された一対の上下方向へのリブからなる係合突部５８が係合溝４４内へ上下動自在に嵌合されて突設されている。この係合突部５８は後述するように周壁５２が引き上げられると、係合溝４４から上方へ離脱し、さらに周壁５２が回動されるとノズル付き押下げヘッド４０の頂壁４１上面へ係合可能に形成されている。
【００２３】
周壁５２の下端内面には、案内筒２４の第１係合突条２５へ下方から係合可能な抜け止め用の第２係合突条５９が周設されている。
【００２４】
６０は覆筒で、外向きフランジ２６上面へ載置した上壁６１から外筒２７外面へ嵌合させて筒壁６２を垂下している。
【００２５】
次に作用について説明する。
図１に示すノズル付き押下げヘッド４０の押下げ不能の状態では、周壁５２下端は案内筒２４下端の上向き段部２３上面へ当接するとともに、係合突部５８は係合溝４４内へ嵌合されている。
【００２６】
吐出させるには、まずノズルカバー５０を第２係合突条５９が第１係合突条２５下面へ当接するまで引き上げればよく、するとノズル４３は開口部５３内を相対的に下降し、ノズルカバー筒部５７がノズル４３から上方へ離脱するとともに、係合突部５８が係合溝４４から上方へ離脱する。
【００２７】
続いて、ノズルカバー５０の引き上げ状態で開口部５３に沿った方向、例えば図２に示すように開口部５３の第１長孔部右方向へ約９０度回動させると、ノズルカバー筒部５７も同方向へ約９０度回動し、ノズル４３が開口部５３内を相対的に左方向へ移動し、係合突部５８下端がノズル付き押下げヘッド４０の頂壁４１上面へ係合する。
【００２８】
次いで、ノズルカバー５０を押下げると、図３に示すように係合突部５８を介してノズル付き押下げヘッド４０が押下げられるため、ノズル４３から容器体内容物が吐出する。
【００２９】
図４は第２実施形態を示す。
第１実施形態とはノズルカバー５０のロック手段において相違する。すなわち、第１実施形態では周壁５２下端を案内筒２４下端の上向き段部２３上面へ当接させているが、本実施形態では、案内筒２４の前部に形成した上向き段部７０上面へ周壁５２下端を当接させることでノズル付き押下げヘッド４０の不用意な押下げ防止を図っている。その他の構成は第１実施形態と同一であるから、説明を省略する。
【図面の簡単な説明】
【００３０】
.
【図１】(１)  図１(２)におけるＡ−Ａ線に沿う断面図である。(２)  本発明に係るノズルカバーの取付け構造の一部切欠き側面図である。
【図２】(１)  図２(２)におけるＢ−Ｂ線に沿う断面図である。(２)  ノズルカバーの引き上げ状態を示す作用説明図である。
【図３】ノズル付き押下げヘッドの押下げ状態を示す作用説明図である。
【図４】第２実施形態の要部断面図である。
【符号の説明】
【００３１】
１  容器
２４  縮径筒部(案内筒)
２５、５９  係合手段
４０  ノズル付き押下げヘッド
４２  嵌合筒
４３  ノズル
４４  嵌合溝
５０  ノズルカバー
５１  天板
５２  周壁
５８  係合突部
７０  上向き段部
【図１】
2010052822.tif 000003
【図２】
2010052822.tif 000004
【図３】
2010052822.tif 000005
【図４】
2010052822.tif 000006